(57)【要約】【課題】積層した状態で収容するカード状物品の積層不良を防止し、かつ、カード状物品の繰り出し不良を防止してカード状物品の安定した繰り出しを可能とする。【解決手段】積層されたカード状物品Ｐを放出口Ｈから一枚ずつ繰り出す物品繰出装置であって、カード状物品Ｐが放出口Ｈを通過するのを阻止するのに連動して押圧部２０を待避位置に移動させ、通過阻止の解除に連動して押圧部２０を押圧位置に移動させることを特徴とする物品繰出装置１。【選択図】  図２
2006193299.tif 000002
【特許請求の範囲】
【請求項１】
カード状物品が積層される床部と、該床部に積層されたカード状物品の一枚が通過する放出口が設けられた通過制限部と、前記床部に積層されたカード状物品のうち、最下段のカード状物品を前記放出口から繰り出す繰出部と、を有する物品繰出装置であって、
前記放出口に対して進出する通過阻止部と、
該通過阻止部を進出させてカード状物品が前記放出口を通過するのを阻止し、前記通過阻止部を前記放出口から退出させて通過阻止を解除する通過阻止機構と、
前記床部に積層されたカード状物品の上面に当接してカード状物品を押圧する押圧部と、
前記床部に積層されたカード状物品を積層下方に押圧する押圧位置へ前記押圧部を移動させ、また前記押圧部を前記カード状物品が積層された上方領域から外れた待避位置へ移動させる押圧機構と、
前記通過阻止部を進出させるのに連動して前記押圧部を前記待避位置に移動させ、前記通過阻止部を退出させるのに連動して前記押圧部を前記押圧位置に移動させる駆動手段と、を有することを特徴とする物品繰出装置。
【請求項２】
前記通過阻止機構は、前記通過阻止部を前記放出口に対して進出させて前記放出口の一部または全部を閉鎖し、前記通過阻止部を放出口から退出させて前記放出口を開放し、
前記押圧機構は、
前記床部の側方である前記待避位置に固定された押圧枢軸部と、
該押圧枢軸部に基端部が連結され、先端部に前記押圧部が取り付けられ、前記押圧枢軸部を支点に揺動可能に取り付けられたメインアーム部とを有し、
該メインアーム部が起立して前記押圧部を前記待避位置に移動させ、前記メインアーム部が傾倒して前記押圧部を前記押圧位置に移動させることを特徴とする請求項１記載の物品繰出装置。
【請求項３】
前記通過阻止部の進出に連動させて前記メインアーム部を起立させ、前記通過阻止部の退出に連動させて前記メインアーム部を傾倒させる連動機構を更に備え、
前記駆動手段は、前記連動機構を作動して前記通過阻止機構と前記押圧機構とを連動させることを特徴とする請求項２記載の物品繰出装置。
【請求項４】
請求項１〜３のいずれか一項記載の物品繰出装置と、
利用者によって前記床部に向けて投入される前記カード状物品の投入口を遮蔽し、また開放するシャッタと、
前記物品繰出装置から繰り出された一枚のカード状物品に記憶された物品関連情報を読み取る読取部と、
該読取部によって読み取られた物品関連情報に基づいて対価の払い出し処理を行う対価払出部と、を備えることを特徴とする物品処理装置。
【発明の詳細な説明】
【技術分野】
【０００１】
本発明は、物品繰出装置および物品繰出装置を備えた物品処理装置に関する。
【背景技術】
【０００２】
この種の物品繰出装置として、クレジットカード、ＩＤカード等のカード状物品を発行する発行装置に組み込まれた物品繰出装置が知られている。例えば、特許文献１には、多数枚のカード状物品が積み重ねられた状態で収容されているスタッカの床部に搬送ローラを設け、この搬送ローラを回転させて放出口から一枚ずつカード状物品を繰り出す物品繰出装置（カード搬送装置）が記載されている。
【特許文献１】特開平９−１０２０１８号公報
【発明の開示】
【発明が解決しようとする課題】
【０００３】
上記従来の物品繰出装置に押圧手段を設け、積み重ねられたカード状物品を上方から押え付けるようにするとカード状物品の繰り出しが安定して好適である。
【０００４】
しかしながら、このような押圧手段を設けると、上方から落下して積み重なるカード状物品が押圧手段に干渉し、カード状物品の積層不良を引き起こす恐れがあった。
【０００５】
また、上記従来の物品繰出装置では、物品が繰り出される放出口が常時開放されており、カード状物品の積層不良が生じると、ずれ落ちたカード状物品が放出口に詰まり、繰り出し不良を生じる恐れがあった。
【０００６】
本発明は上述の点に鑑みてなされたものであり、カード状物品の積層不良を防止し、かつ、放出口の目詰まりに起因するカード状物品の繰り出し不良を防止してカード状物品の安定した繰り出しを可能にする物品繰出装置および物品処理装置を提供することを目的とする。
【課題を解決するための手段】
【０００７】
上記課題を解決するため、本発明は、カード状物品が積層される床部と、その床部に積層されたカード状物品の一枚が通過する放出口が設けられた通過制限部と、床部に積層されたカード状物品のうち、最下段のカード状物品を放出口から繰り出す繰出部と、を有する物品繰出装置であって、放出口に対して進出する通過阻止部と、その通過阻止部を進出させてカード状物品が放出口を通過するのを阻止し、通過阻止部を放出口から退出させて通過阻止を解除する通過阻止機構と、床部に積層されたカード状物品の上面に当接してカード状物品を押圧する押圧部と、床部に積層されたカード状物品を積層下方に押圧する押圧位置へ押圧部を移動させ、また押圧部をカード状物品が積層された上方領域から外れた待避位置へ移動させる押圧機構と、通過阻止部を進出させるのに連動して押圧部を待避位置に移動させ、通過阻止部を退出させるのに連動して押圧部を押圧位置に移動させる駆動手段とを有することを特徴とする。
【０００８】
本発明によれば、押圧部が待避位置へ移動されるのに連動してカード状物品が放出口を通過するのを阻止される。そのため押圧部が積層されるカード状物品に干渉せず、また、積層されたカード状物品がずれ落ちても放出口を通過しない。一方、押圧部が押圧位置へ移動されるのに連動して通過阻止が解除される。そのためカード状物品が押圧されながら繰り出される。
【０００９】
通過阻止機構は、通過阻止部を放出口に対して進出させて放出口の一部または全部を閉鎖し、通過阻止部を放出口から退出させて放出口を開放し、押圧機構は、床部の側方である待避位置に固定された押圧枢軸部と、その押圧枢軸部に基端部が連結され、先端部に押圧部が取り付けられ、押圧枢軸部を支点に揺動可能に取り付けられたメインアーム部とを有し、そのメインアーム部が起立して押圧部を待避位置に移動させ、メインアーム部が傾倒して押圧位置に押圧部を移動させるようにしてもよい。
【００１０】
このようにすると、通過阻止機構の通過阻止部が放出口の一部または全部を閉鎖することによってカード状物品が放出口を通過するのを阻止し、放出口から退出することによって通過阻止が解除される。また、押圧機構のメインアーム部が傾倒することによって押圧部が押圧位置に移動し、メインアーム部が起立することによって押圧部が待避位置に移動する。
【００１１】
また、通過阻止部の進出に連動させてメインアーム部を起立させ、通過阻止部の退出に連動させてメインアーム部を傾倒させる連動機構を更に備え、駆動手段は、連動機構を作動して通過阻止機構と押圧機構とを連動させるようにしてもよい。
【００１２】
このようにすると、連動機構を作動することで押圧機構と通過阻止機構の両方を作動させることができ、駆動手段が単体で足りる。
【００１３】
また、本発明に係る物品処理装置は、上記の物品繰出装置と、利用者によって床部に向けて投入されるカード状物品の投入口を遮蔽し、また開放するシャッタと、物品繰出装置から繰り出された一枚のカード状物品に記憶された物品関連情報を読み取る読取部と、その読取部によって読み取られた物品関連情報に基づいて対価の払い出し処理を行う対価払出部とを備えることを特徴とする。
【００１４】
このような物品処理装置によれば、物品繰出装置の押圧部を待避位置へ移動させるのに連動してカード状物品が放出口を通過するのを阻止され、押圧部を押圧位置へ移動させるのに連動して通過阻止が解除される。また、カード状物品の投入口が遮蔽、開放される。更に物品繰出装置から精度良く繰り出された一枚のカード状物品から物品関連情報の読み取りが行われ、その物品関連情報に基づいて対価の払い出しが行われる。
【発明の効果】
【００１５】
本発明に係る物品繰出装置および物品処理装置によれば、カード状物品の積層不良を防止し、かつ、放出口の目詰まりに起因するカード状物品の繰り出し不良を防止してカード状物品の安定した繰り出しが可能になる。
【発明を実施するための最良の形態】
【００１６】
本実施の形態に係るカード状物品は、厚さ２ｍｍ以下の略長方形のカード（以下、単に「景品」という）である。またその景品は、パチンコやスロットゲーム等の遊技を行った遊技者（以下、「利用者」という）が、その遊技で獲得したパチンコ玉やコイン枚数などのポイントに応じて受け取ることができる特殊な景品であり、他の商品その他の対価と交換できる。景品には、景品の真偽を示す識別情報、上記ポイントに対応する対価情報等の物品関連情報が記憶されている。
【００１７】
本実施の形態に係る物品処理装置（以下、「景品処理装置」という）は、景品交換所に設置され、利用者によって投入された景品を、対価情報に応じた対価と交換する装置である。また、景品処理装置には、本実施の形態に係る物品繰出装置（以下、「景品繰出装置」という）が備え付けられている。この景品繰出装置は、利用者が一括して複数枚の景品を投入でき、かつ、投入された景品を一枚ずつ繰り出す装置である。以下、本発明に係る実施の形態を、図面を参照しながら説明する。なお、図１は景品処理装置の概略構成を示すブロック図である。
【００１８】
図１に示すように景品処理装置１００は、利用者が実際に接する部分１０１（以下、「接客部」という）を備える。接客部１０１には、景品繰出装置１、シャッタ２、受け皿３、表示／操作部４等が設けられている。景品繰出装置１には、後述するように利用者によって床部１２に向けて投入される景品の投入口Ａが形成されている（図２〜図６参照）。シャッタ２は、この投入口Ａを覆うようにスライド移動して投入口Ａを遮蔽し、また開放するカバー部とカバー部をスライド移動させるシャッタ駆動部とを有する。受け皿３は、対価（例えば、貨幣やコイン等）が払い出され、また景品が返却される口部と、対価や景品を保持する受け部とを有する。表示／操作部４は、タッチパネル等の操作手段を備えた液晶ディスプレイ等からなり、利用者が視覚によって所定の情報を読み取り、また、タッチパネル等を介して所定の操作を行えるように構成されている。
【００１９】
また、景品処理装置１００は、景品繰出装置１から繰り出された景品から物品関連情報を読み取る読取部５、読取部５からスタッカ部７に景品を搬送する収納搬送部６、受け皿３に対価の払出しを行う対価処理部８、係員が所定の操作を行う係員操作部９、景品処理装置１００全体の動作制御を行う制御部１０とを備えている。制御部１０は、ＣＰＵや各要素（景品繰出装置１、シャッタ２、表示／操作部４、読取部５、収納搬送部６、対価処理部８、係員操作部９）との接続を可能とするインターフェース（いずれも図示せず）等を備え、各要素の制御および景品の正当性の判定や景品に対応する対価の確認等を行う。
【００２０】
読取部５は、景品に記憶されている物品関連情報を読み取って正当性（真偽）の判定や対価の確認のための情報を制御部１０に入力する読取搬送部と、物品関連情報が読み取られた景品を一時的に収容する一時収容部と、一時収容部に収容された景品を受け皿３に返却する返却搬送部（いずれも、図示せず）等を有する。
【００２１】
収納搬送部６は、搬送ベルト、プーリ、ローラ及び駆動モータ（いずれも、図示せず）等を有し、読取部５から搬送された景品をスタッカ部７に搬送するとともに、スタッカ部７内に設けられた各スタッカ（本実施の形態では第１スタッカ７１、第２スタッカ７２、第３スタッカ７３の３種類）に景品を分別する。この分別は、例えば景品に記憶された物品関連情報に応じて行われる。
【００２２】
対価処理部８は、読取部５によって読み取られ、制御部１０に入力された対価情報に基づいて対応する対価を受け皿３に払い出すものであり、例えば、硬貨払出装置や紙幣払出装置が相当する。
【００２３】
係員操作部９は、景品処理装置１００の背面に設けられ、景品の集計情報が表示されたり、係員によって各種設定が行われたりする表示部、係員にメンテナンス等を含めた各種操作が行われる押しボタン等が備え付けられている。
【００２４】
利用者によって景品繰出装置１に投入された景品は、図１の点線矢印で示すように読取部５、収納搬送部６、スタッカ部７の順に搬送され、各スタッカ（第１スタッカ〜第３スタッカ）７１、７２、７３に収納される。また、読取部５で読み取れなかった景品は、受け皿３に戻される。また、景品に記憶された対価情報に基づく対価は、図１の一点鎖線矢印で示すように制御部１０からの指示を受けた対価処理部８によって受け皿３に払い出される。
【００２５】
続いて景品処理装置１００に備え付けられた景品繰出装置１について図２〜６を参照しながら説明する。なお、図２は景品繰出装置の一部を破断して概要を示す斜視図であり、景品繰出装置の一部とシャッタとは仮想線で示してある。また図３、図４は景品繰出装置の側面図であり、図３は通過阻止状態を示し、図４は通過阻止を解除した状態を示す。図５、図６は図２のＢ−Ｂ断面図であり、図５は押圧部を待避位置に移動させた状態を示し、図６は、押圧部による押圧状態を示す。なお、以下の説明において積み重なる景品の鉛直上方向が積層上方、鉛直下方が積層下方であり、積層上方をZ軸の正方向で示す。また、景品が放出口に向けて繰り出される放出方向をＹ軸の正方向で示し、Ｚ軸とＹ軸を基準とする右方向（Ｚ軸とＹ軸とを２軸にもつ３次元直角座標系の他の一軸方向）をＸ軸の正方向で示す。
【００２６】
景品繰出装置１は、図２に示すように景品Ｐが積層される床部１２と、床部１２の左右（Ｘ軸方向）両脇に立設されるガイド壁１３、１４と、景品Pが通過する放出口Hが設けられた通過制限部２２と、床部１２に積層された景品Ｐを放出口Ｈから繰り出す繰出部１７とを有する。
【００２７】
また景品繰出装置１は、放出口Ｈに対して進出する通過阻止部２３と、通過阻止部２３を進出させて景品Ｐが放出口Ｈを通過するのを阻止し、通過阻止部２３を放出口Ｈから退出させて通過阻止を解除する通過阻止機構２１と、床部１２に積層された景品Ｐの上面に当接して景品Ｐを押圧する押圧部２０と、床部１２に積層されたカード状物品を積層下方に押圧する押圧位置へ押圧部２０を移動させ、また押圧部２０を景品Ｐが積層された上方領域から外れた待避位置へ移動させる押圧機構１９とを有する。更に景品繰出装置１は、通過阻止部２３を進出させるのに連動して押圧部２０を待避位置に移動させ、通過阻止部２３を退出させるのに連動して押圧部２０を押圧位置に移動させる駆動手段（図示せず）とを有する。
【００２８】
床部１２は、景品Ｐが載置されるととともに、Ｙ軸に沿って長い直状長孔１２ｂが形成された底面１２ａと、底面１２ａを挟んで立設され、Ｙ軸に平行な対向面で底面１２ａ上に積み重ねられた（積層された）景品Ｐを保持する左側壁１５および右側壁１６を有する。一対の側壁１５、１６（左側壁と右側壁）は、下部の対向面１５ａ，１６ａと上部の傾斜面１５ｃ，１６ｃを有する。対向面１５ａ，１６ａは互いに向き合って景品Ｐを左右から挟み、積層された状態を保持する。傾斜面１５ｃ，１６ｃはＺ軸の負方向に向けて底面１２ａ側に下降傾斜しており、景品Ｐを底面１２ａに案内する。また、左側壁１５には、後述するメインアーム部１９ｂが挿入される縦長の逃げ溝１５ｂが形成されている。
【００２９】
ガイド壁１３、１４は、手前側（Ｙ軸の負方向側）に円弧辺１３ａ、１４ａを向けて平行に配置された壁体である。円弧辺１３ａ、１４ａと床部１２に囲まれた範囲が、利用者によって景品Ｐが投入される投入口Ａとなり、円弧辺１３ａ、１４ａに沿ってシャッタ２のカバー部がスライド移動し、投入口Ａの遮蔽と開放が行われる。利用者によって投入口Ａから床部１２に向けて投入された景品Ｐは、底面１２ａ上に積み重なりながら積層される。
【００３０】
通過制限部２２は、一対の側壁１５、１６に挟まれる底面１２ａの前縁（Ｙ軸の正方向側の縁）に沿って立設された前壁３０と、前壁３０の底面１２ａ側の壁面（Ｙ軸の負方向側の壁面）に取り付けられた規制壁部３１とを有する。前壁３０には底面１２ａに載置された景品Ｐが通過可能な幅と高さを有する貫通孔３０ａが形成されている。また規制壁部３１は略矩形の平板であり、底面１２ａからの高さ（Ｚ軸方向）を適宜調節可能であり、貫通孔３０ａの上部を一部塞ぐように取り付けられている。本実施の形態では、景品Ｐの一枚のみが貫通孔３０ａを通過可能な高さ寸法を開けて取り付けられており、前壁３０の貫通孔３０ａと規制壁部３１の下端辺３１ａによって放出口Ｈが形成されている。また、規制壁部３１の下端辺３１ａには、図４に示すようにＹ軸正方向に向けて下方（Ｚ軸の負方向）に傾斜する傾斜面が形成されている。この傾斜面によって最下段の景品Ｐが二段目の景品Ｐからスムーズに分離され、放出口Ｈから正確に繰り出される。
【００３１】
なお、規制壁部３１の左側縁（Ｘ軸の負方向側の側縁）には、その左側縁に沿ってガイド溝３１ｂが刻設されている。ガイド溝３１ｂは下端が開放されており、後述する通過阻止部２３の規制板部２３ｃがスライド可能に、かつ下端から進退出可能に嵌め込まれている。
【００３２】
繰出部１７は、床部１２の直状長孔１２ｂに挿入され、直状長孔１２ｂに沿って移動可能な可動体１８と、可動体１８を直状長孔１２ｂに沿って往復動させる繰出駆動部（図示せず）とを有する。
【００３３】
可動体１８は、繰出駆動部に支えられる可動ブロック１８ａと、可動ブロック１８ａの上面に左右一対設けられたくさび状部材１８ｂ、１８ｂとを有する。可動ブロック１８ａは、直状長孔１２ｂの横幅に対応する幅寸法を有する直方体形状をなし、直状長孔１２ｂ内に挿入されている。くさび状部材１８ｂ、１８ｂは、積層された最下段の景品Ｐの下面（Ｚ軸の負方向側を向く面）に当接される傾斜面１８ｃ、１８ｃと、傾斜面１８ｃ、１８ｃの端に設けられた係止爪１８ｄ、１８ｄとを有する。傾斜面１８ｃ、１８ｃは先端（下端縁）をＹ軸の正方向側、後端（上端縁）を負方向側に向けて配置され、底面１２ａと略同じ高さである先端から後端に向けて上方（Ｚ軸の正方向）へ傾斜している。また係止爪１８ｄ、１８ｄは、傾斜面１８ｃ、１８ｃの後端に沿って（Ｘ軸に沿って）刻設された溝によって形成されている。
【００３４】
繰出駆動部は、駆動モータ、ピニオン、ラック等を備え、可動体１８を支持するとともに直状長孔１２ｂに沿ってＹ軸方向に移動（往復動）させる。
【００３５】
可動体１８は、繰出駆動部の作動により、放出口Ｈから最も離れた位置（繰出準備位置）から放出口Ｈに向けて移動（往動）し、景品Ｐを傾斜面１８ｃ、１８ｃですくい上げて係止爪１８ｄ、１８ｄで引っかけ、そのまま放出口Ｈに最も接近する位置（繰出位置）まで達する。可動体１８が繰出位置に達すると、可動体１８によって送り出された景品Ｐは、放出口Ｈから繰り出される。その後、可動体１８は復動して繰出準備位置まで戻る。
【００３６】
続いて通過阻止部２３および通過阻止機構２１について説明する。
【００３７】
通過阻止部２３は、放出口Ｈ内に下降進出して放出口Ｈの一部を閉鎖し、また、放出口Ｈから上昇退出して放出口Ｈを開放する規制板部２３ｃと、規制板部２３ｃに取り付けられるブラケット部２３ａと、ブラケット部２３ａに取り付けられ、側壁１５（逃げ溝１５ｂが形成された側壁）を挟んで底面１２ａの反対側である待避位置に配置される従動部材２３ｂとを有する。なお、本実施の形態に係る規制板部２３ｃは放出口Hの一部を閉鎖する構成であるが、放出口Hの全部を閉鎖する構成であってもよい。また、本実施の形態に係る規制板部２３ｃは、自重にて下降進出する構成であるが、規制板部２３ｃを下方に付勢する付勢部材を設け、この付勢部材によって規制板部２３ｃの下降進出がサポートされる構成であってもよい。
【００３８】
規制板部２３ｃは、矩形平板状をなし、一方の側縁をガイド溝３１ｂにスライド可能に嵌め込まれている。ブラケット部２３ａは、規制板部２３ｃの他方の側縁に固定端部が取り付けられ、開放端部が待避位置まで突き出ている。従動部材２３ｂは、規制板部２３ｃの開放端部に取り付けられ、Ｚ軸に垂直な平面を有する平板状をなす。
【００３９】
通過阻止機構２１は、図３、図４に示すように待避位置に固定され、Ｙ軸方向に垂直、かつＸ軸方向に平行な軸線を有する第１枢軸部２１ａと、第１枢軸部２１ａによって両端を揺動可能に支持された梃部２１ｄと、梃部２１ｄの一端に取り付けられ、従動部材２３ｂに干渉する下方位置に配置された第１揺動部２１ｂと、梃部２１ｄの他端に取り付けられた第２揺動部２１ｃとを有する。なお、本実施の形態に係る第１枢軸部２１ａは図示しない連結部材によって床部１２に取り付けられている。また、第１揺動部２１ｂ、第２揺動部２１ｃは、第１枢軸部２１ａの軸線と平行な軸線を有するローラである。
【００４０】
続いて押圧機構１９と押圧部２０を説明する。押圧機構１９は、図５、図６に示すように床部１２の側方である待避位置に固定され、Ｙ軸に平行な軸線を有する第２枢軸部１９ａと、第２枢軸部１９ａに基端部が連結され、第２枢軸部１９ａを支点に揺動可能に取り付けられたメインアーム部１９ｂと、メインアーム部１９ｂに取り付けられたサブアーム部１９ｃと、サブアーム部１９ｃに取り付けられ、通過阻止機構２１の第２揺動部２１ｃの上方位置に配置されている押圧従動体１９ｄとを有する。
【００４１】
第２枢軸部１９ａは、図示しない連結部材によって床部１２に取り付けられ、本発明における押圧枢軸部に相当する。メインアーム部１９ｂは、第２枢軸部１９ａに連結された基端部からＺ軸およびＸ軸に平行な平面（揺動平面）上に沿って延び、途中で屈曲した棒状部材であり、先端部を底面側１２ａに向けて配置されている。サブアーム部１９ｃは、メインアーム部１９ｂの屈曲された内側箇所から揺動平面に沿って突出形成されている。押圧従動体１９ｄは、サブアーム部１９ｃの先端（開放端）に取り付けられ、Ｙ軸と平行な軸線を有するローラである。
【００４２】
押圧部２０は、メインアーム部１９ｂの先端部に取り付けられ、景品Ｐを自重で押圧するのに適した重さを有するウエイトである。また、押圧部２０は中心軸をＹ軸と平行に配置した円錐台形状（図２参照）をなし、Ｙ軸の負方向側が縮径している。なお、本実施の形態に係る押圧部２０には、図示しない付勢手段によって底面１２ａ側に付勢力がかけられており、押圧部２０による押圧力が付勢手段によってサポートされている。
【００４３】
本実施の形態に係る景品繰出装置１は、通過阻止部２３（規制板部２３ｃ）の進出に連動させてメインアーム部１９ｂを起立させ、通過阻止部２３（規制板部２３ｃ）の退出に連動させてメインアーム部１９ｂを傾倒させる連動機構４０を備えている。そして駆動手段（図示せず）は、連動機構４０を作動して通過阻止機構２１と押圧機構１９とを連動させる。それにより駆動手段は、メインアーム部１９ｂを起立させて押圧部２０を待避位置に移動させ、メインアーム部１９ｂを傾倒させて押圧部２０を押圧位置に移動させる。以下、連動機構４０と駆動手段の説明をする。
【００４４】
連動機構４０は、図３、図４に示すように押圧従動体１９ｄが当接される上面と第２揺動部２１ｃが当接される下面とを備え、押圧従動体１９ｄと第２揺動部２１ｃとの間に配置される駆動板４１と、駆動板４１を昇降可能に支持する昇降部材４２とを有する。駆動板４１と昇降部材４２とは、一枚のプレート体からなり、上端部が垂直に折り曲げられて駆動板４１が形成されている。
【００４５】
駆動手段（図示せず）は、駆動モータ、ピニオン、ラック等を備え、連結機構４０の昇降部材４２を昇降させて通過阻止機構２１の作動に連動させて押圧機構１９を作動させる。
【００４６】
続いて、景品繰出装置１の作用について説明する。まず駆動手段が連動機構４０を作動し、駆動板４１を図３に示す上方位置に達するまで上昇させる。すると通過阻止機構２１の第２揺動部２１ｃは、駆動板４１からの干渉を解かれる。それにより第１揺動部２１ｂを介して規制板部２３ｃを持ち上げていた力も無くなり、規制板部２３ｃは自重で放出口Ｈ内に下降進出して放出口Ｈの一部を閉鎖する。その結果、景品Ｐが放出口Ｈを通過するのを阻止される。このように規制板部２３ｃが自重で下降進出する構成であれば、部品点数を削減できる。また、駆動板４１が上昇すると図５に示すように駆動板４１は押圧機構２０の押圧従動体１９ｄを上面で支えながら持ち上げる。すると、メインアーム部１９ｂが第２枢軸部１９ａを支点に揺動して起立し、押圧部２０を待避位置まで移動させる。
【００４７】
一方、駆動手段が連動機構４０を作動し、駆動板４１を図４に示す下方位置に達するまで降下させる。すると第２揺動部２１ｃは、駆動板４１に干渉されて押し下げられる。それにより第１揺動部２１ｂが上方へ揺動して従動部材２３ｂに干渉し、従動部材２３ｂとともに規制板部２３ｃを持ち上げる。すると、規制板部２３ｃが放出口Ｈから上昇退出してガイド溝３１ｂ内に没入され、放出口Ｈを開放する。その結果、放出口Ｈの通過阻止の解除が行われる。また、駆動板４１が降下すると図６に示すように駆動板４１の降下に追従してメインアーム部１９ｂが第２枢軸部１９ａを支点に揺動して傾倒し、逃げ溝１５ｂに挿入される。それにより押圧部２０を床部１２に積層される最上段の景品P（一枚の場合には、その一枚の景品P）の上面に当接させてＺ軸の負方向（積層下方）に景品Ｐを押圧する押圧位置に移動させる。
【００４８】
以上、本実施の形態に係る景品繰出装置１では、床部１２に景品Ｐが積層されるときには、押圧部２０を待避位置に移動させるとともに、通過阻止部２３によって景品Ｐが放出口Ｈを通過するのを阻止できる。そのため、積層される景品Ｐが押圧部２０に干渉して積層不良を生じることが防止され、また、積層される景品Ｐがずれ落ちて放出口Ｈにはまり込み、目詰まりを生じて繰り出し不良を生じるということが防止される。
【００４９】
また、本実施の形態のように利用者によって投入口Ａから直接景品Ｐが投入されるような景品繰出装置の場合、利用者が景品Ｐを意図的に放出口Ｈへ押し込んだり、また意図しなくても偶発的に放出口Ｈへ押し込まれる可能性がある。そのため、放出口Ｈが常時開放されている従来の物品繰出装置では、景品Ｐが放出口Ｈに楔状に引っかかって積層不良、および積層不良に起因する繰り出し不良を生じ易い。しかしながら本実施の形態に係る物品繰出装置１によれば、通過阻止部２３によって景品Ｐが放出口Ｈを通過するのが阻止されるため、積層不良や繰出不良を効果的に抑止できる。
【００５０】
一方、繰出部１７によって景品Ｐを放出口Ｈから繰り出すときには、押圧部２０によって景品Ｐを積層下方に押圧し、また、通過阻止部２３に通過阻止の解除を行わせることができる。そのため、繰出部１７から景品Ｐが外れてしまう繰り出し不良を押圧部２０の押圧によって防止でき、通過阻止が解除されているために放出口Ｈから景品Ｐを正規に繰り出すことができる。
【００５１】
また、本実施の形態では、昇降部材４２の昇降のみで、通過阻止機構２１と押圧機構１９との両方を連動して作動させることができるため、単一の駆動手段ですみ、部品点数を少なくできる。
【００５２】
以上の構成を有する景品処理装置１００の動作について図７、図８を参照して説明する。図７は、景品処理装置１００の動作手順を説明するフローチャートであり、図８は景品繰出処理の動作手順を示すフローチャートである。なお、図７、図８では、ステップをＳと略記している。
【００５３】
景品処理装置１００は、動作開始に際してステップ１に進み、利用者からの動作開始のための信号を受け付ける。ここで利用者は、表示／操作部４に表示された所定の表示内容を確認し、動作開始のための受付開始操作を行う。利用者が受付開始操作を行うと動作開始のための信号が表示／操作部４から制御部１０に入力され、ステップ２に進む。
【００５４】
ステップ２に進むと景品投入準備処理が行われる。景品投入準備処理が開始すると、制御部１０がシャッタ２のシャッタ駆動部に開放を指示する信号を入力し、この信号が入力されたシャッタ駆動部はカバー部を開いて投入口Ａを開放し、利用者が景品Ｐを床部１２に向けて投入可能な状態とする。
【００５５】
後続のステップ３に進むと、景品処理装置１００が、利用者による景品Ｐの投入を受け付ける。ここで利用者は、対価交換を希望する景品Ｐの一枚もしくは複数枚を景品繰出装置１の投入口Ａに一括して投入する。投入された景品Pは床部１２に積層される。このとき景品繰出装置１の押圧部２０は待避位置に移動されている。そのため投入される景品Ｐが押圧部２０に干渉して積層不良を生じるということが防止される。また、利用者にとっても押圧部２０が投入の邪魔とならない。一方、景品繰出装置１の通過阻止部２２は、放出口Ｈの通過阻止を行っている。そのため景品Ｐが積層される途中でずれ落ち、放出口Ｈにはまり込んで詰まるということが防止され、繰り出し不良を防止できる。また、利用者によるいたずらや景品Pの誤挿入によって景品Ｐが放出口Ｈに押し込まれるという不具合が防止され、景品Ｐの詰まりなどの異常が防止される。
【００５６】
景品Ｐを投入し終えた利用者は、表示／操作部４の表示内容を確認し、処理開始操作を行う。すると、この操作に伴う信号が表示／操作部４から制御部１０に入力され、ステップ４に進んで景品繰出処理が行われる。景品繰出処理について、図８を参照して詳述する。
【００５７】
景品繰出処理が開始すると、図８に示すステップ４０に進んで遮蔽処理を行う。遮蔽処理が開始すると、制御部１０がシャッタ２のシャッタ駆動部に遮蔽を指示する信号を入力し、この信号が入力されたシャッタ駆動部はカバー部を閉じて投入口Ａを閉鎖し、利用者が景品Ｐに触れることが出来ない状態とする。それにより、後述する景品Ｐの繰り出しのときに、利用者による不適切な接触（誤挿入やいたずらなど）が防止され、景品Ｐの繰り出し不良が防止される。
【００５８】
後続のステップ４１に進むと景品繰出装置１によって押圧および通過阻止解除動作処理が行われる。より詳しくは、制御部１０が駆動手段に駆動板４１を降下させる信号を入力し、この信号が入力された駆動手段は昇降部材４２を所定距離だけ降下させる。すると、図６に示すように押圧従動体１９ｄ（ローラ）が駆動板４１の上面を転がって底面１２ａ側へ移動し、メインアーム部１９ｂが傾倒する。その結果、押圧部２０が押圧位置に移動し、自重と付勢手段（図示せず）の付勢力によって積層下方（Ｚ軸の負方向）に景品Ｐを押圧する。一方、駆動板４１の下面は、図４に示すように第２揺動部２１ｃを押し下げる。それによって第１揺動部２１ｂが第１枢軸部２１ａを支点に上方へ揺動し、従動部材２３ｂに干渉して規制板部２３ｃを持ち上げ、放出口Ｈの通過阻止を解除する。
【００５９】
後続のステップ４２に進むと、繰り出し処理が行われる。ここで制御部１０が繰出部１７の繰出駆動部に繰出信号を入力する。繰出信号が入力された繰出駆動部は、繰出準備位置にある可動体１８を放出口Ｈに向けて（Ｙ軸の正方向に）移動させる（図４の矢印Ｋ参照）。その際、傾斜面１８ｂが最下段の景品Ｐをすくい上げるように持ち上げ、更に係止爪１８ｂが景品Ｐを引っかけて放出口Ｈに向けて送り出す。放出口Ｈの上方には、通過制限部２２が設けられており、二段目より上に詰まれた景品Ｐは放出口Ｈ内への移動を制限される。そのため最下段の景品Ｐのみが放出口Ｈから繰り出される。可動体１８が繰出位置に達すると、景品Ｐは放出口Ｈを通過して一枚ずつ繰り出され、繰り出された景品Ｐは読取部５に送られる。景品Ｐの繰り出しが完了すると、制御部１０は繰出部１７の繰出駆動部に投入準備のための信号を入力し、この信号が入力された繰出駆動部は、可動体１８を繰出準備位置に移動させる。このように繰出部１７の作用および通過制限部２２の作用によって、景品Ｐが一枚ずつ繰り出されてステップ４３に進む。
【００６０】
ステップ４３に進むと図示しないセンサによって床部１２に残っている景品Ｐの検出が行われ、総ての景品Ｐの繰り出しが終了するまで、ステップ４２の繰り出し処理が繰り返し実行される。総ての景品Ｐの繰り出しが終了する（センサで景品Ｐが検知されなくなる）と、可動体１８は繰出準備位置で停止され、ステップ４４に進む。
【００６１】
ステップ４４に進むと、待避および通過阻止動作処理が行われる。より詳しくは、制御部１０が駆動手段に駆動板４１を上昇させる信号を入力し、この信号が入力された駆動手段は昇降部材４２を所定距離だけ上昇させる。すると、図５に示すように押圧従動部１９ｄ（ローラ）が駆動板４１の上面を転がって底面１２ａから離れる方向（Ｘ軸の負方向）へ移動し、メインアーム部１９ｂが起立する。それによって押圧部２０は、景品Ｐが積層された上方領域から外れた待避位置（景品Ｐの積層に干渉しない位置）に至る。一方、駆動板４１の下面が上昇すると、図３に示すように第２揺動部２１ｃを上方から押え付けていた力が無くなり、規制板部２３ｃが自重で降下する。それにより、放出口Ｈの通過阻止を行う。ステップ４４の動作処理が終了すると、景品繰出処理が終了する。
【００６２】
図７に示すようにステップ４の景品繰出処理が終了すると、ステップ５に進み、読取処理が行われる。読取部５は、一枚ずつ繰出された景品Ｐの正当性を判定する識別情報や対価情報の読取りを行い、物品関連情報として制御部１０に入力する。物品関連情報が入力された制御部１０では、景品の正当性の判定や景品に対応する対価の確認を行い、正当性が否定される（偽物）場合には、読取部５に返却信号を入力し、偽物の景品Ｐを返却搬送部から受け皿３に返却させる。また、読取部５では、景品Ｐの汚れ等によって所定の情報を読み取れない場合には、読取不可として該当する景品Ｐを受け皿３に返却させる。総ての景品Ｐの読取りが完了すると、制御部１０が表示／操作部４に指示して対価に関する情報を表示させてステップ６に進む。
【００６３】
ステップ６に進むと利用者による景品確定操作を受け付ける。ここで利用者は、表示／操作部４を操作して対価交換を希望するか否かの選択を行い、希望する場合には、交換希望の操作を行い、希望しない場合には取り消し操作を行う。交換希望または取り消し希望に係る各情報は、表示／操作部４から制御部１０に入力される。
【００６４】
後続のステップ７に進むと制御部１０が、表示／操作部４から入力された各情報に基づき、対価交換確定か、対価交換取り消しかを判定する処理を行う。つまり表示／操作部４から取り消し希望の情報が入力されたときには、対価交換取り消しと判定してステップ８に進み、景品返却処理が行われて処理が終了する。景品返却処理が開始すると読取部５の一時収容部に収容されている総ての景品Ｐが返却搬送部によって受け皿３に返却される。
【００６５】
一方、表示／操作部４から交換希望の情報が入力されたときには、対価交換確定と判定してステップ９に進み、対価交換処理が開始して制御部１０が対価処理部８に対価に関する情報を入力する。すると対価処理部８では、入力された情報に基づいて所定の対価（例えば、貨幣やコイン等）を受け皿３に払い出す。受け皿３に払い出された対価を利用者が総て受け取り、受け皿３が空になると図示しないセンサが検知し、受け取り完了信号を制御部１０に入力する。受け取り完了信号が入力された制御部１０は、収納搬送部６に収納信号を入力する。収納信号が入力された収納搬送部６では、読取部５の一時収納部に収容されていた景品Ｐをスタッカ部７に搬送し、かつ、景品Ｐを各スタッカ（第１〜第３スタッカ）７１、７２、７３に分別収納して景品処理装置の一連の動作処理が終了する。
【００６６】
このように本実施の形態に係る景品処理装置１００では、利用者に一括投入された複数枚の景品Ｐが景品繰出装置１の床部１２に積層される。このとき景品繰出装置１では、押圧部２０が待避位置にあるため、押圧部２０と景品Ｐとの干渉に起因する積層不良が防止される。また、通過阻止部２３によって景品Ｐが放出口Ｈを通過するのが阻止されているため、積層された景品Ｐがずれ落ちて放出口Ｈにはまり込み、目詰まりを生じて繰り出し不良を生じるということが防止される。
【００６７】
また、シャッタ２が景品繰出装置１の投入口Ａを遮蔽するため、繰り出しの時に利用者が景品Ｐに触ることによって生じる繰り出し不良を防止できる。また、繰出部１７の作動の際に押圧部２０が景品Ｐを繰出部１７に向けて押圧するため、安定した繰り出しが可能となる。更に、通過制御部２２によって放出口Ｈを通過する景品Ｐの枚数が一枚に制限されるため、放出口Ｈから一枚ずつ正確に繰り出され、後続の読取部５における読取処理が安定して行われる。
【００６８】
また、景品繰出装置１から安定して一枚ずつ繰り出された景品Ｐから物品関連情報が読み取られ、この物品関連情報に基づく対価が利用者に支払われるため、読取部５での読み取り精度が高まり、また、正確な対価の払い出しが行われる。
【００６９】
以上、実施の形態によって本発明に係る物品繰出装置および物品繰出装置を備えた物品処理装置の説明をした。しかし、本発明は以上の実施の形態に係る装置のみに限定されない。
【００７０】
例えば、上記実施の形態では、カード状物品として特殊な景品の場合を例に説明したが、このような景品に限定されず、クレジットカードやＩＤカードその他の各種カードであってもよい。また、カード状物品に記憶されている情報も識別情報や対価情報に限定されず、カード状物品の種別を示す種別情報や利用者の個人ＩＤを含む所有者情報等であってもよい。
【００７１】
また、本発明の繰出部は、上記の可動ブロックの係止爪で引っかけて押し出す形態のものに限定されず、例えば、偏芯ローラによって間欠的に放出口へ繰り出す形態のものであってもよい。
【００７２】
また、押圧機構、通過阻止機構、連動機構は、リンク機構、カム機構、摩擦伝動機構、歯車伝動機構等の運動伝達機構であってもよい。また、連動機構を設けずに押圧機構と通過阻止機構とをそれぞれ作動させる独立の駆動手段を備え、かかる駆動手段による押圧機構と通過阻止機構との作動を連動させるようにしてもよい。
【図面の簡単な説明】
【００７３】
【図１】本実施の形態に係る景品処理装置の概略構成を示すブロック図である。
【図２】本実施の形態に係る景品繰出装置の一部を破断して概要を示す斜視図である。
【図３】景品繰出装置の側面図であり、通過阻止状態を示している。
【図４】景品繰出装置の側面図であり、通過阻止の解除状態を示している。
【図５】図２のＢ−Ｂ断面図であり、押圧部が待避位置にある場合を示している。
【図６】図２のＢ−Ｂ断面図である、押圧部が押圧位置にある場合を示している。
【図７】景品処理装置の動作手順を示すフローチャートである。
【図８】景品繰出処理の動作手順を示すフローチャートである。
【符号の説明】
【００７４】
１・・・景品繰出装置（物品繰出装置）、２・・・シャッタ、５・・・読取部
８・・・対価処理部
１０・・・制御部、１２・・・床部
１７・・・繰出部
１９・・・押圧機構、１９ａ・・・第２枢軸部、１９ｂ・・・メインアーム部
２０・・・押圧部
２１・・・通過阻止機構
２２・・・通過制限部
２３・・・通過阻止部、２３ｃ・・・規制板部
４０・・・連動機構
Ａ・・・投入口、Ｈ・・・放出口、Ｐ・・・景品（カード状物品）
【図１】
2006193299.tif 000003
【図２】
2006193299.tif 000004
【図３】
2006193299.tif 000005
【図４】
2006193299.tif 000006
【図５】
2006193299.tif 000007
【図６】
2006193299.tif 000008
【図７】
2006193299.tif 000009
【図８】
2006193299.tif 000010